(57)【要約】【要約書】【課題】  寒い時季に対してより凌ぎ易くし気持ち良く着用し目的に対応しての活動を快適に行なうことが出来る防寒用衣服の提供。【解決手段】  右前身頃３と左前身頃４及び後身頃５と裏地６と衿７と袖８とからなる防寒用衣服１に於いて、後身頃５の裏地６の人体側の腰或は背中に又は腰と背中両方に内ポケット１１を開口部１１ａ・１１ｂが上方となるよう設けたものである。【選択図】図１
0003126707.tif 000002
【実用新案登録請求の範囲】
【請求項１】
右前身頃と左前身頃及び後身頃と裏地と衿と袖とからなる防寒用衣服に於いて、後身頃の裏地の人体側の腰或は背中に又は腰と背中両方に内ポケットを開口部が上方となるよう設けたことを特徴とする防寒用衣服。
【請求項２】
ポケットの開口部にボタン或はファスナー又はマジックテープ等の開閉具を設けて開口部の開閉を可能とした請求項１記載の防寒用衣服。
【請求項３】
内ポケットが長方形で横に長いか大きい場合、中央に縫着による割りを設けて二分するようにした請求項１記載の防寒用衣服。
【考案の詳細な説明】
【技術分野】
【０００１】  本考案は寒い冬の季節に於いて、家庭で或は外出又はレジャーの時に着用し寒さを少しでも凌ぐことが出来るようにした防寒用衣服に関するものである。
【背景技術】
【０００２】  科学の発達に伴って仕事或はレジャーなどの日常生活が多様化してきている中で、衣服もそれぞれの目的に対応させてより着心地を良くするために素材から製品に至る幅広い分野にわたって色々研究されてきている。
その中で寒い季節に対して遠赤外線を射出させ保温性を十分に保つことが出来る生地を用いた衣服が開発されてきている。
【考案が解決しようとする課題】
【０００３】  このように寒い季節に対応した衣服が開発されてきているが、未だ寒い季節に対しては十分に対応することが出来るとは云えず、開発された衣服を着用していても完全に寒さを凌ぐことが出来ず、寒さに対応した衣服の着用上非常に不都合を感じていた。
【課題を解決するための手段】
【０００４】  本考案はこのような不都合を解消し、寒い季節に対してより凌ぎ易くし気持ち良く着用し、目的に対応しての活動を快適に行なうことが出来る防寒用衣服を提供せんとするものである。
右前身頃と左前身頃及び後身頃と裏地と衿と袖とからなる防寒用衣服に於いて、後身頃の裏地の人体側の腰或は背中に又は腰と背中両方に内ポケットを開口部が上方となるよう設け、開口部にボタン或はファスナー又はマジックテープ等の開閉具を設けて開口部の開閉を可能としたものである。
尚、内ポケットが長方形で横に長いか大きい場合は、中央に縫着による割りを設けて二分しても良い。
【０００５】  使用に当っては、従来の防寒用衣服と同じように着用すれば良い。
そして寒い季節に着用してもまだ寒く感じる時には、開閉具にて開口部を開けて腰用或は背用の内ポケット内に市販の扁平状の保温具を発熱するようにしてから入れて着用する。
このようにして着用すると、腰用或は背用の内ポケット内の保温具にて腰或は背中が保温具にて加温されて暖かくなり寒さを凌ぐことが出来る。
【０００６】  又、腰用或は背用の内ポケットの開口部に開閉具を設けることによって、腰用或は背用の内ポケット内に入れた保温具の落下を防ぎどのような姿勢になっても収納を確実に行なえると共に、内ポケットが長方形で横に長いか大きい場合、中央に縫着による割りを設けて二分しているため、内ポケット内での保温具の移動を無くし腰内ポケットを有効利用することが出来る。
そして着用が終ると、前記の逆の手順で腰用或は背用の内ポケットより保温具を取り出し防寒用衣服のみを所定の場所に収納する。
尚、袖のない防寒用衣服（例えばベスト）に用いても良い。
【考案の効果】
【０００７】  上述の如く本考案の請求項１及び請求項２に於いては、寒い季節や着用者が着用していても寒く感じる時、腰用或は背用の内ポケット内に手間がかからず保温具を入れて腰や背中付近を手早く暖めて寒さを凌ぐことが出来る。
請求項３に於いては、内ポケット内での保温具の移動を無くし内ポケットを有効利用することが出来る。
このため気持ち良く着用し快適な気分で日常生活やレジャーや各種活動など幅広い分野での使用が行なえるなど多くの特長があり実用上非常に優れた考案である。
【考案を実施するための最良の形態】
【０００８】  右前身頃と左前身頃及び後身頃と裏地と衿と袖とからなる防寒用衣服に於いて、後身頃の裏地の人体側の腰或は背中に又は腰と背中両方に内ポケットを開口部が上方となるよう設けたものである。
【実施例１】
【０００９】  以下本考案の一実施例を図面について説明する。
図中１は防寒用衣服全体を示し、２は右前身頃３と左前身頃４と後身頃５と裏地６と衿７と袖８とからなる衣服本体であって、ファスナー９を右前身頃３と左前身頃４の開部３ａ・４ａに設けて開部３ａ・４ａの開閉を可能とすると共に、外ポケット１０を右前身頃３と左前身頃４の胸下方付近の外側に設けている。
１１は後身頃５の腰部の内側に腰全体に相対するよう設けた腰用の内ポケットであって、縦中央を縫着して割り１２を設けて二分し、それぞれの開口部１１ａ・１１ｂにマジックテープからなる開閉具１３を設け開口部１１ａ・１１ｂの開閉を可能としている。【００１０】  使用に当っては、従来の防寒用衣服と同じように着用すれば良い。
そして寒い季節で着用する場合には、開閉具１３にて開口部１１ａ・１１ｂを開いて腰用の内ポケット１１内にそれぞれ市販の板状の保温具Ｘを入れ、開閉具１３にて開口部を１１ａ・１１ｂを閉じて着用する。
このようにして着用すると、腰用の内ポケット１１内の保温具Ｘにて腰が暖められて寒さを凌ぐことが出来る。【００１１】  更に、腰用の内ポケット１１が長方形で大きいので、中央に縫着による割り１２を設けて二分しているため、腰用の内ポケット１１内での保温具Ｘの移動を無くし腰用の内ポケット１１を有効利用することが出来る。
そして着用が終ると、前記の逆の手順で腰用の内ポケット１１より保温具Ｘを取り出し防寒用衣服のみを所定の場所に収納する。
【実施例２】
【００１２】  本実施例は実施例１と殆ど同じのため異なる部分について説明する。
１４は防寒用衣服全体を示し、１５は後身頃５の背中の内側に開口部１５ａを上方にして設けた背用の内ポケットであって、開口部１５ａにマジックテープからなる開閉具１６を設け開口部１５ａの開閉を可能としている。【００１３】  使用に当たっては、従来の防寒用衣服と同じように着用すれば良い。
そして寒い季節で着用する場合には、実施例１に加えて開口部１５ａを開閉具１６にて開き、背用の内ポケット１５内に市販の板状の保温具Ｙを入れ、開閉具１６にて開口部を１５ａを閉じて着用する。
このようにして着用すると、腰用の内ポケット１１及び背用の内ポケット１５内の保温具Ｘ・Ｙにて腰と背中が暖められてより寒さを凌ぐことが出来る。
そして着用が終ると、前記の逆の手順で腰用の内ポケット１１或は背用の内ポケット１５より保温具Ｘ・Ｙを取り出し防寒用衣服のみを所定の場所に収納する。
【産業上の利用可能性】
【００１４】  防寒用衣服として寒時に各種作業やレジャーや日常活動など幅広い分野で着用することが出来る。
【図面の簡単な説明】
【００１５】
【図１】本考案実施例１の一部を破断した正面図
【図２】本考案実施例２の一部を破断した正面図
【符号の説明】
【００１６】  １    防寒用衣服
２    衣服本体
３    右前身頃
３ａ  開部
４    左前身頃
４ａ  開部
５    後身頃
６    裏地
７    衿
８    袖
９    ファスナー
１０    ポケット
１１    内ポケット
１１ａ  開口部
１１ｂ  開口部
１２    割り
１３    開閉具
１４    防寒用衣服
１５    内ポケット
１５ａ  開口部
１６    開閉具
Ｘ    保温具
Ｙ    保温具
【図１】
0003126707.tif 000003
【図２】
0003126707.tif 000004
【手続補正書】
【提出日】平成18年7月19日(2006.7.19)
【手続補正１】
【補正対象書類名】実用新案登録請求の範囲
【補正対象項目名】全文
【補正方法】変更
【補正の内容】
【実用新案登録請求の範囲】
【請求項１】
右前身頃と左前身頃及び後身頃と裏地と衿と袖とからなる防寒用衣服に於いて、後身頃の裏地の人体側の腰或は背中に又は腰と背中両方に内ポケットを開口部が上方となるよう設けたことを特徴とする防寒用衣服。
【請求項２】
ポケットの開口部にボタン或はファスナー又は面ファスナー等の開閉具を設けて開口部の開閉を可能とした請求項１記載の防寒用衣服。
【請求項３】
内ポケットが長方形で横に長いか大きい場合、中央に縫着による割りを設けて二分するようにした請求項１記載の防寒用衣服。
【手続補正２】
【補正対象書類名】明細書
【補正対象項目名】０００４
【補正方法】変更
【補正の内容】
【０００４】  本考案はこのような不都合を解消し、寒い季節に対してより凌ぎ易くし気持ち良く着用し、目的に対応しての活動を快適に行なうことが出来る防寒用衣服を提供せんとするものである。
右前身頃と左前身頃及び後身頃と裏地と衿と袖とからなる防寒用衣服に於いて、後身頃の裏地の人体側の腰或は背中に又は腰と背中両方に内ポケットを開口部が上方となるよう設け、開口部にボタン或はファスナー又は面ファスナー等の開閉具を設けて開口部の開閉を可能としたものである。
尚、内ポケットが長方形で横に長いか大きい場合は、中央に縫着による割りを設けて二分しても良い。
【手続補正３】
【補正対象書類名】明細書
【補正対象項目名】００１２
【補正方法】変更
【補正の内容】
【００１２】  本実施例は実施例１と殆ど同じのため異なる部分について説明する。
１４は防寒用衣服全体を示し、１５は後身頃５の背中の内側に開口部１５ａを上方にして設けた背用の内ポケットであって、開口部１５ａに面ファスナーからなる開閉具１６を設け開口部１５ａの開閉を可能としている。